(57)【要約】【課題】避難後の建物内部の安全を考慮し、自動的に閉まる避難扉付扉装置を提供する。【解決手段】建物の出入口に設けた枠体２に開閉自在に備えた扉本体４と、この扉本体４に形成された避難用開口部５と、この避難用開口部５を閉塞可能に形成された避難扉６と、避難扉６下部を扉本体４に垂直方向に回動自在に軸支する避難扉側ヒンジ部１９とを備えた避難扉付扉装置１であって、避難扉６を自動で閉鎖する閉鎖装置Ｃを備え、閉鎖装置Ｃに避難扉６を閉方向に付勢する弾性体５５を備えたことにより、避難扉６を開放して避難用開口部５を通じて建物外部に避難した後に、避難用開口部５が開放されたままになることを防ぎ、外部から避難用開口部５を通じて建物内部の様子を確認できないようにし、外部から避難用開口部５を通じて建物内部に侵入しようとする犯罪を抑止するとともに、建物内部のプライバシーを保護することができる。【選択図】図１
2010090545.tif 000002
【特許請求の範囲】
【請求項１】
建物の出入口に設けた扉本体と、この扉本体に形成された避難用開口部と、この避難用開口部を閉塞可能に形成された避難扉と、前記避難扉下部を前記扉本体に垂直方向に回動自在に軸支する軸部とを備えた避難扉付扉装置であって、前記避難扉を閉鎖する閉鎖装置を備え、前記閉鎖装置に前記避難扉を閉方向に付勢する付勢手段を備えたことを特徴とする避難扉付扉装置。
【請求項２】
前記閉鎖装置に、前記付勢手段を介して前記扉本体と前記避難扉を連結する線材と、前記線材を前記扉本体側から前記避難扉側にかけて前記避難扉の開閉方向に沿って案内可能に設けた滑車装置とを備えたことを特徴とする請求項１記載の避難扉付扉装置。
【請求項３】
前記避難扉を前記建物の戸内側に倒伏可能に備えるとともに、倒伏した前記避難扉により前記避難用開口部と前記戸内側とを連結するスロープを構成したことを特徴とする請求項１又は２に記載の避難扉付扉装置。
【請求項４】
前記避難用開口部を閉塞した前記避難扉を施錠する施錠機能を備えたことを特徴とする請求項１〜３に記載の避難扉付扉装置。
【発明の詳細な説明】
【技術分野】
【０００１】
本発明は、避難用開口部を備えた扉装置に関する。
【背景技術】
【０００２】
従来、建物等に用いられる扉では、地震や火災等の災害時に、例えば地震時に強い力で突き上げられ、扉を開閉自在に保持している枠に耐久力以上の外力が加わると、この枠と扉との接触抵抗が増大し、扉の鍵やドアチェーンを開錠状態としても扉が開閉不能な状態となる問題点があった。そこで従来より避難口を備えた扉が提案されている（特許文献１）。
【０００３】
例えば特許文献１には、扉の下半分に避難口となる開口部を形成し、この開口部に引き倒し方式の避難扉が設けられた避難扉付扉装置が開示されている。この特許文献１の避難扉付扉装置では、避難扉を引き倒して開口部を開放し、この開口部を通じて建物外部に避難するものである。
【特許文献１】特開２０００−８０８６５号公報
【発明の開示】
【発明が解決しようとする課題】
【０００４】
しかし、従来の避難扉付扉装置には、引き倒された避難扉は自動で開口部を閉鎖するものではなく、緊急時の避難の場合など、開口部を開放したまま、避難口付き扉から離れてしまうことが考えられ、開放されたままの開口部を通じて建物内部への侵入を許してしまう等、安全面に問題点があり、自動的に閉まるものがなかった。
【０００５】
そこで、本発明は避難後の建物内部の安全を考慮し、自動的に閉まる避難扉付扉装置を提供することを目的とする。
【課題を解決するための手段】
【０００６】
請求項１記載の本発明は、建物の出入口に設けた扉本体と、この扉本体に形成された避難用開口部と、この避難用開口部を閉塞可能に形成された避難扉と、前記避難扉下部を前記扉本体に垂直方向に回動自在に軸支する軸部とを備えた避難扉付扉装置であって、前記避難扉を閉鎖する閉鎖装置を備え、前記閉鎖装置に前記避難扉を閉方向に付勢する付勢手段を備えたことを特徴とする。
【０００７】
請求項２記載の本発明は、前記閉鎖装置に、前記付勢手段を介して前記扉本体と前記避難扉を連結する線材と、前記線材を前記扉本体側から前記避難扉側にかけて前記避難扉の開閉方向に沿って案内可能に設けた滑車装置とを備えたことを特徴とする。
【０００８】
請求項３記載の本発明は、前記避難扉を前記建物の戸内側に倒伏可能に備えるとともに、倒伏した前記避難扉により前記避難用開口部と前記戸内側とを連結するスロープを構成したことを特徴とする。
【０００９】
請求項４記載の本発明は、前記避難用開口部を閉塞した前記避難扉を施錠する施錠機能を備えたことを特徴とする。
【発明の効果】
【００１０】
請求項１の発明によれば、避難扉を閉方向に付勢する付勢手段を備えて、自動で避難用開口部を閉塞することにより、避難扉を開放して避難用開口部を通じて建物外部に避難した後に、避難用開口部が開放されたままの状態になることを防いで、外部から避難用開口部を通じて建物内部の様子を確認できないようにして、外部から避難用開口部を通じて建物内部に侵入しようとする犯罪を抑止するとともに、建物内部のプライバシーを保護することができる。
【００１１】
請求項２の発明によれば、避難扉の動作を円滑なものとして、避難扉を開く操作力を軽減させて、避難扉の操作性を向上させると共に、線材にかかる負担を軽減させて線材の消耗を抑えて、避難扉付扉装置の寿命の低下を防ぐことができる。
【００１２】
請求項３の発明によれば、避難用開口部を開放した際に建物の戸内側に倒伏された避難扉によって、避難用開口部と戸内側とを連結するスロープが構成されることにより、避難用開口部と戸内側の床面との段差が解消され、子供やお年寄りでも容易に避難用開口部と床面との段差を乗り越えることが可能となり、避難時の避難用開口部へのアクセス性が向上する。
【００１３】
請求項４の発明によれば、外部から避難用開口部を通じて建物内部に侵入しようとする犯罪を防止し、避難扉付扉装置の安全性を向上させる。
【発明を実施するための最良の形態】
【００１４】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。
【実施例１】
【００１５】
図１〜図１８に示すように、本発明の第１実施例における避難扉付扉装置１は、建物等の出入口に設けた矩形状の枠体２に扉本体側ヒンジ部３を介して戸外７方向に開閉自在に備えた横開き式の扉本体４と、この扉本体４に設けた避難用開口部５に開閉自在に備えた避難扉６を有した構造としている。扉本体４における建物の戸外７と対向する戸外側面部８及び戸内９と対向する戸内側面部１０には、耐熱・耐荷重性に優れた厚さ約１．６ｍｍの鋼板が用いられている。
【００１６】
前記避難用開口部５は、扉本体４において建物の戸内９側と戸外７側とを連通可能に形成され、例えば縦寸法５０ｃｍ、横寸法５０ｃｍを有する矩形状の人間が通過可能な貫通部であり、扉本体４の下側半分の領域において扉本体４の下端から所定間隔Ｌだけ上方に形成されたものである。また、この避難用開口部５を形成している開口縁１１には、戸外７側と対向する第１の戸外側対向部分１２に対して戸内９側と対向する第１の戸内側対向部分１３を全周に亘って拡径した第１の段差部１４が形成されている。
【００１７】
前記避難扉６は、避難用開口部５に略嵌合可能に形成された矩形状の板体からなり、扉本体４同様、戸外側面部６Ａ及び戸内側面部６Ｂに耐熱・耐荷重性に優れた厚さ約１．６ｍｍの鋼板が用いられており、扉本体４の厚みと略同一に形成されている。この避難扉６の外周部には、戸外７側と対向する第２の戸外側対向部分１５に対して戸内９側と対向するとともに全周に亘って鍔状に拡径された第２の戸内側対向部分１６を形成し、且つ避難用開口部５の第１の段差部１４と係合可能に形成された第２の段差部１７を設けている。ここで、この第２の段差部１７の全周に亘りゴム又はプラスチック等の樹脂製材料からなるシールパッキン１８が配設されたことにより、避難扉６により避難用開口部５が閉塞された場合に避難扉６と扉本体４の隙間の避難用開口部５が液密にシールされる構造となっている。
【００１８】
避難扉６は、避難用開口部５に対して避難扉側ヒンジ部１９を介して垂直方向に開閉自在に設けられている。避難扉側ヒンジ部１９は、避難扉６の戸内側面における左右両側下方部分に設けられ、その先端を避難扉６の戸内９側面に沿って避難用開口部５の下縁部分より下方に突設させて形成した一対の可動側ヒンジ腕部材２０と、扉本体４の戸内側面における避難用開口部５の左右両縁下方との近傍部分に設けられ、その先端を扉本体４の戸内側面に沿って避難用開口部５の下縁部分より下方に突設させて形成した一対の固定側ヒンジ腕部材２１と、可動側ヒンジ腕部材２０の先端と固定側ヒンジ腕部材２１の先端とを避難用開口部５の下縁部分より下方において垂直方向に回動自在に連結する軸部２２を有しており、避難扉６を戸内９側に倒伏可能に備えている。
【００１９】
扉本体４内部では、戸内側面部１０と戸外側面部８の間に扉本体４の外形に沿って矩形に組立てられた外郭フレーム２３と、扉本体４の長手方向に沿って平行に並設された長手フレーム２４と、扉本体４の短手方向に沿って平行に並設された短手フレーム２５を備えており、外郭フレーム２３、長手フレーム２４及び短手フレーム２５は断面コ字型に形成されたフレーム部材からなる。ここで、長手フレーム２４と短手フレーム２５により、開口縁１１に沿って扉本体４内部に空隙２６を確保しており、この空隙２６における開口縁１１の一方の側面部分と対応する部分には、滑車装置２７が配設されている。
【００２０】
滑車装置２７は、扉本体４の戸外側面部８又は戸内側面部１０の各面方向と直交する方向に回転軸を有してボルト・ナット等の固定手段２８によって固定された上下一対の滑車を備えている。この上下一対の滑車のうちの一方の滑車である上側滑車体２９は、取付フレーム３０を介して長手フレーム２４に取付けられることにより、長手フレーム２４に直接取付けられたもう一方の滑車である下側滑車体３１に対して回転軸方向に取り付け位置をずらして配設されている。この上側滑車体２９と下側滑車体３１の間には、一端３２が上側滑車体２９の上部に掛けられると共に、他端３３が下側滑車体３１の下部に掛けられたワイヤー等の線材３４が張架されている。ここで、取付フレーム３０は、水平方向の寸法を下側滑車体３１の直径より小さく形成され、前記線材３４の他端３３を下側滑車体３１の下部から垂直上向きに張架した場合に、線材３４の垂直方向の動作の妨げとならない構造となっている。
【００２１】
また、開口縁１１の一方の側面部分には、上下一対の滑車２９,３１及び取付フレーム３０を略水平方向より露見可能とする滑車装置側開口部３５が形成され、この滑車装置側開口部３５を閉塞可能に形成された滑車装置側蓋体３６は、コ字型に形成された接続フレーム３７を間に介して長手フレーム２４に着脱自在に設けられている。
【００２２】
ここで、滑車装置側蓋体３６の取付構造について詳しく説明すると、接続フレーム３７はコ字型の閉塞部分の両端より略垂直に立設された一対の脚片を備えている。この一対の脚片のうちの一方の脚片３８には、所定間隔を有して連続して形成された複数の第１の固定用貫通部３９を設けており、この一方の脚片３８の第１の固定用貫通部３９に対応した複数の第２の固定用貫通部４０を長手フレーム２４にも設けて、ビス等の螺子部材からなる接続フレーム固定手段４１によって、一方の脚片３８と長手フレーム２４のそれぞれの貫通部３９,４０を介して着脱自在に固定している。また、一対の脚片のうちの他方の脚片４２にも、所定間隔を有して連続して形成された複数の第３の固定用貫通部４３を設けており、この第３の固定用貫通部４３に対応した複数の第４の固定用貫通部４４を滑車装置側蓋体３６にも設けて、これら固定用貫通部４３,４４をビス等の螺子部材からなる蓋体固定手段４５によって固定することにより、滑車装置側蓋体３６を開口縁１１に着脱自在に構成している。さらに、他方の脚片４２には、一方の脚片３８に設けた第１の固定用貫通部３９との対応位置に配設され、さらにその第１の固定用貫通部３９より大径に形成された作業用貫通部４６を備えている。この作業用貫通部４６は、ドライバー等の工具の先端を遊貫自在に形成されたものであり、この作業用貫通部４６を介して第１の固定用貫通部３９へのビス止め等の取付作業が行えるように構成されている。ここで、他方の脚片４２に備えた第３の固定用貫通部４３と作業用貫通部４６は、互いに重なり合わない位置に配設されたものとする。また、各脚片３８、４２、長手フレーム２４および滑車装置側蓋体３６に備えた各貫通部３９,４０,４３,４４,４６の数については適宜変更可能である。
【００２３】
第１の戸外側対向部分１２の戸内側対向面部４７には、垂直方向に沿って長手方向を有し、上側滑車体２９の上部から避難扉６に向けて略水平方向に張架された線材３４の一端３２を挿通可能に形成された長孔４８を備えている。そして、この長孔４８に戸外７側から戸内９側へと挿通された線材３４の一端３２は、第２の戸内側対向部分１６に長孔４８と対向させて形成された避難扉側貫通部４９に挿通されると共に、リベット５０の軸部（図示せず）に巻き回され、そのリベット５０を第２の戸内側対向部分１６に固定することにより、線材３４の一端３２は避難扉６に固定されるものとする。
【００２４】
扉本体４の外郭フレーム２３上面部には、扉本体４内外を連通する矩形の扉本体側貫通部５１が形成されており、扉本体側貫通部５１の左右両側縁下部より先端部分を相互に水平方向に対向させて突設された一対の受板部５２の上面には、扉本体側貫通部５１に略嵌合可能に形成された矩形状の板体からなる弾性体取付部材５３が外郭フレーム２３上面部と略面一な状態で配設されており、この弾性体取付部材５３はビス等の螺子部材からなる弾性体固定手段５４によって受板部５２に着脱自在に固定される。
【００２５】
この弾性体取付部材５３の底面部中央には、Ｌ型に折り曲げて形成され、引きばねからなる弾性体５５の一方のフック５６を接続可能に形成された弾性体取付用貫通部５７を備えた取付片５８が配設されている。ここで、弾性体取付部材５３に接続された弾性体５５のもう一方のフック（図示せず）は、下側滑車体３１下部から垂直上向きに折り返して張架され、取付フレーム３０の戸外７側と非接触の状態で通過させた線材３４の他端３３に接続されている。
【００２６】
ここで、本実施例において非常扉６を閉鎖させる閉鎖装置Ｃは、滑車装置２７と線材３４と弾性体５５によって構成されるものとする。
【００２７】
また避難扉付扉装置１には、戸内９側より避難扉６の施錠／開錠を可能にする施錠装置５９を備えており、この施錠装置５９は周知の本締錠からなり、たとえば扉本体４の開口縁１１上部の略中央部分に形成された係止溝６０と、避難扉６の上部略中央部分に出し入れ自在設けられ、係止溝６０と係合可能に設けられた係止片６１と、避難扉６の戸内９側面上部に回転可能に設けられ、この回転動作に伴い係止片６１を避難扉６から突出させた施錠位置から避難扉６に収納させた開錠位置に切替可能に設けたつまみ片状の操作手段６２とから構成される。さらに、避難扉６の戸内９側面の下方には、人間の手の指先が入る程度の大きさの凹溝状に形成されたハンドル６３を備えている。この施錠装置５９は、図１８に示すように、避難扉６が避難用開口部５を閉塞したことを検知すると、自動的に操作手段６２を回転させて係止片６１を施錠位置まで突出させる自動施錠機能６４を備えていることが好ましい。ここで、自動施錠機能６４としては、例えば、扉本体４側及び／又は避難扉６側に備えた検知手段６５によって避難扉６による避難用開口部５の閉塞を検知して、この検知手段６５からの検知信号を受信した制御手段６６によって施錠装置５９を施錠位置に切り替え、避難扉６を施錠制御するものである。
【００２８】
上記の避難扉付扉装置１の作用について説明する。ここで、初期状態として、扉本体４の避難用開口部５が避難扉６によって閉塞され、施錠装置５９により避難扉６が施錠状態にあるものとして、避難扉６の開閉動作について説明する。
【００２９】
先ずは、戸内９側より操作手段６２を開錠位置に回転させて係止片６１を開錠位置に動かし、施錠装置５９により避難扉６を開錠する。次に、ハンドル６３に手を掛けて、弾性体５５からの弾性復元力に抗してハンドル６３を戸内９側へと引くと、避難扉６はヒンジ部を介して縦開き式に建物の戸内９側へ開き、避難用開口部５を開放することが可能となる。このように避難用開口部５を開放可能に備えたことにより、地震や火災等の災害時に、地震時に、強い力で突き上げられ、扉本体４を開閉自在に保持している枠体２に耐久力以上の外力が加わると、この枠体２と扉本体４との接触抵抗が増大し、扉本体４の鍵やドアチェーン（共に図示せず）を開錠状態としても、扉本体４を開けることが出来なくなるような場合においても、避難用開口部５を通じて戸外７へ避難することが可能となり、災害時の避難口を確保することができる。
【００３０】
そして、避難扉６を建物の戸内９側へとさらに倒伏させていき、避難扉６における避難扉側ヒンジ部１９に接続されていない側である上端部分を戸内９側の床面に当接させると、避難扉６の戸外７側面によって開口縁１１下部から床面までの間に床面から傾斜角θを有して架設されたスロープが形成される。このように、避難扉６によって扉本体４の開口縁１１下部と戸内９側床面との段差を解消するスロープを構成することで、子供やお年寄りでも容易に開口縁１１下部と床面との段差を乗り越えることが可能となり、避難時の避難用開口部５へのアクセス性が向上する。また、避難扉６の戸内側面部１０及び戸外側面部８に厚さ約１．６ｍｍの鋼板を用いたことにより、避難用開口部５を通過する際に段差を解消するためのスロープとして使用される避難扉６に体重等の荷重が掛かったとしても容易に破損することを防ぐとともに、避難扉６によって扉本体４の避難用開口部５を閉塞した際には、この扉本体４と避難扉６を防火扉として使用することができ、火災時の安全性を向上させる。
【００３１】
また、避難用開口部５の開放時に避難扉６のハンドル６３から手を離すと、弾性体５５の弾性復元力により避難扉６と扉本体４とを繋いでいる線材３４が扉本体４内部へ引っ張られ、この線材３４に繋がれた避難扉６は、戸外７方向、つまり、避難用開口部５に対して閉方向に移動して避難用開口部５を閉塞し、さらに自動施錠機能６４によって避難用開口部５を閉塞している避難扉６が扉本体４に対して施錠状態となる。このように避難扉６が自動的に避難用開口部５を閉塞した後、避難扉６の施錠が自動的に行われる構成としたことにより、避難用開口部５を通じて建物の戸外７へ避難した後、避難用開口部５を通じて外部から建物内部へ侵入しようとする犯罪を防止することができ、避難後の建物内部の安全性を向上させるとともに、建物内部のプライバシーを保護する。
【００３２】
ここで、扉本体４内部において弾性体５５から垂直方向に張架された線材３４は、滑車装置２７を介して水平方向に張架されて避難扉６へと接続されている。そのため、避難扉６の回転軸である避難扉側ヒンジ部１９を中心とした避難扉６の回転動作範囲を表す仮想円Ｒ（図３参照）における、避難扉６が避難用開口部５を閉塞している地点（以下、閉塞地点と呼称する）での接線方向と略平行に線材３４が張架されているので、この閉塞地点からの避難扉６の戸内７側へ倒伏しようとする動き出しが円滑なものとなり、避難扉６を戸内９側へ開こうとする操作力を軽減させて避難扉６の操作性を向上させるとともに、線材３４にかかる負担を軽減させて、線材３４の消耗を抑えて、避難扉付扉装置１の寿命の低下を防ぐことができる。
【００３３】
さらに、弾性体５５の接続された線材３４を、下側滑車体３１を介して上側滑車体２９に張架することにより、弾性体５５の弾性復元力によって線材３４に作用する張力を分散させて、避難扉６を戸内９側へ開こうとする操作力をさらに軽減させて避難扉６の操作性を向上させる。
【００３４】
さらに、本実施例の滑車装置２７は、滑車装置側蓋体３６を取り外すと、滑車装置側開口部３５より一対の滑車体２９,３１及び取付フレーム３０が露見可能となっており、この滑車装置側開口部３５を通じて滑車体２９,３１の取付及び交換作業等の各種作業を容易に行うことが可能となる。
【００３５】
また、接続フレーム３７に作業用貫通部４６を備え、滑車装置側開口部３５側から作業用貫通部４６にドライバー等の工具を遊貫させて、第１の固定用貫通部３９に接続フレーム固定手段４１を固定して、接続フレーム３７を長手フレーム２４に取り付ける。このように、長手フレーム２４への接続フレーム３７の取付作業が滑車装置側開口部３５側から行えるように取付フレーム３０に作業用貫通部４６を備えたことにより、滑車体２９,３１及び取付フレーム３０のみならず接続フレーム３７の滑車装置２７全ての取付作業の方向を滑車装置側開口部３５側からの一方向のみとすることで、作業性を向上させる。
【００３６】
さらに、弾性体５５の取付又は交換については、弾性体取付部材５３と受板部５２とを固定している弾性体固定手段５４を取り外した後、扉本体側貫通部５１から弾性体取付部材５３を取り外して、弾性体５５の取付又は交換作業を行う。このように、弾性体５５が接続された弾性体取付部材５３を扉本体４から独立して離脱可能に備えたことにより、弾性体５５の取付又は交換作業を効率的に行うことが可能となる。
【００３７】
また、この第２の段差部１７の全周に亘りシールパッキン１８が配設されたことにより、避難扉６により避難用開口部５を閉塞した場合に、避難扉６と避難用開口部５との隙間が水密又は液密にシールされる構造としたことにより、避難扉６と避難用開口部５との隙間から戸内９側への水分及び塵芥の浸入を防止する。
【００３８】
さらに、避難扉６を戸内９側に倒伏可能に備えたことにより、災害時に戸外７に瓦礫等が堆積している場合でも、避難扉６の開閉動作に支障をきたすことはなく、避難用開口部５へのアクセス性が損なわれることはない。
【００３９】
以上のように本実施例は請求項１に対応しており、建物の出入口に設けた枠体２に開閉自在に備えた扉本体４と、この扉本体４に形成された避難用開口部５と、この避難用開口部５を閉塞可能に形成された避難扉６と、避難扉６下部を扉本体４に垂直方向に回動自在に軸支する軸部として避難扉側ヒンジ部１９とを備えた避難扉付扉装置１であって、避難扉６を自動で閉鎖する閉鎖装置Ｃを備え、閉鎖装置Ｃに避難扉６を閉方向に付勢する付勢手段として弾性体５５を備えている。
【００４０】
この場合、閉塞装置Ｃに避難扉６を閉方向に付勢する弾性体５５を備えて、自動で避難用開口部５を閉塞することにより、避難扉６を開放して避難用開口部５を通じて建物外部に避難した後に、避難用開口部５が開放されたままの状態になることを防いで、外部から避難用開口部５を通じて建物内部の様子を確認できないように秘匿して、外部から避難用開口部５を通じて建物内部に侵入しようとする犯罪を抑止するとともに、建物内部のプライバシーを保護することができる。
【００４１】
また、本実施例は請求項２に対応しており、閉鎖装置Ｃに、弾性体５５を介して扉本体４と避難扉６を連結する線材３４と、線材３４を扉本体４側から避難扉６側にかけて避難扉６の開閉方向に沿って案内可能に設けた滑車装置２７とを備えている。
【００４２】
この場合、避難扉６の動作を円滑なものとして、避難扉６を開く操作力を軽減させて、避難扉６の操作性を向上させると共に、線材３４にかかる負担を軽減させて線材３４の消耗を抑えて、避難扉付扉装置１の寿命の低下を防ぐことができる。
【００４３】
さらに、本実施例は請求項３に対応しており、避難扉６を建物の戸内９側に倒伏可能に備えるとともに、倒伏した避難扉６により避難用開口部５と戸内９側とを連結するスロープを構成している。
【００４４】
この場合、避難用開口部５を開放した際に建物の戸内９側に倒伏された避難扉６によって、避難用開口部５と戸内９側とを連結するスロープが構成されることにより、避難用開口部５と戸内９側の床面との段差が解消され、子供やお年寄りでも容易に避難用開口部５と床面との段差を乗り越えることが可能となり、避難時の避難用開口部５へのアクセスが容易となる。
【００４５】
また、本実施例は請求項４に対応しており、避難用開口部５を閉塞した避難扉６を施錠する施錠機能として自動施錠機能６４を備えたことにより、外部から避難用開口部５を通じて建物内部に侵入しようとする犯罪を防止し、避難扉付扉装置１の安全性を向上させる。
【実施例２】
【００４６】
次に、本発明の第２実施例を図１９に基づき説明する。なお前記第１実施例と同一部分には同一符号を付し、その共通する箇所の説明は重複するため省略し、異なる部分についてのみ説明する。
【００４７】
本実施例における避難扉付扉装置１は、前記第１の実施例の施錠装置５９の構成に加えて、避難扉６の戸外側面部６Ａ上部に、図示しない鍵溝を備えると共に、この鍵溝に挿入可能な鍵によって回転可能に設けられ、操作手段６２と同様この回転動作に伴い係止片６１を避難扉６から突出させた施錠位置から避難扉６に収納させた開錠位置に切替可能に設けた戸外側操作手段６７を備え、戸外７側より避難扉６の施錠／開錠が可能に構成されている。
【００４８】
以上のように本実施例の避難扉付扉装置１では、地震や火災等の災害時に、強い力で突き上げられ、扉本体４を開閉自在に保持している枠体２に耐久力以上の外力が加わると、この枠体２と扉本体４との接触抵抗が増大し、扉本体４の鍵やドアチェーン（共に図示せず）を開錠状態としても、扉本体４を開けることが出来なくなるような場合においても、避難扉６の戸外７側に備えた戸外側操作手段６７を操作して避難扉６を開錠することにより、戸外７から避難用開口部５を通じて戸内９へ進入することが可能となり、災害時に建物内部に取り残された老人や怪我人等を救助するための避難口を確保することができる。
【００４９】
尚、本発明は本実施例に限定されるものではなく、種々の変形が可能である。例えば、施錠装置の構造も本締錠に限定されるものではなく、適宜変形可能である。また、自動施錠機能についても、本実施例に記載したような、避難扉によって避難用開口部が閉塞されたことを検知して、この検知信号を制御信号によって受信して、施錠装置を施錠状態に制御するものでなく、避難扉によって避難用開口部が閉塞されると避難扉及び／又は避難用開口部に備えたスイッチが作動し、このスイッチの動作により施錠装置が直接的に施錠位置へ操作される機械方式としても構わないものとする。
【図面の簡単な説明】
【００５０】
【図１】本発明の第１実施例を示す避難扉付扉装置を戸内側から見た正面図である。
【図２】同上、避難扉付扉装置を戸外側から見た背面図である。
【図３】同上、避難扉を開いた状態を示す側面図である。
【図４】同上、図３における平面図である。
【図５】同上、避難扉付近を拡大した正面図である。
【図６】同上、避難扉付近の横断面図である。
【図７】同上、避難扉付近の縦断面図である。
【図８】同上、避難扉付近の別の縦断面図である。
【図９】同上、車輪装置付近の縦断面図である。
【図１０】同上、開口縁付近の正面図である。
【図１１】同上、滑車装置側開口部付近の側面図である。
【図１２】同上、図１１において、滑車装置を取り付ける以前の側面図である。
【図１３】同上、図１１における縦断面図である。
【図１４】同上、扉本体の内部構造を示す正面図である。
【図１５】同上、扉本体上部を示す平面図である。
【図１６】同上、扉本体上部の縦断面図である。
【図１７】同上、避難扉を開いた状態を示す斜視図である。
【図１８】同上、自動施錠機能の概略を示す説明図である。
【図１９】本発明の第２実施例を示す避難扉付扉装置を戸外側から見た正面図である。
【符号の説明】
【００５１】
１  避難扉付扉装置
４  扉本体
５  避難用開口部
６  避難扉
１９  避難扉側ヒンジ部（軸部）
２７  滑車装置
３４  線材
５５  弾性体（付勢手段）
６４  自動施錠機能
Ｃ  閉鎖装置
【図１】
2010090545.tif 000003
【図２】
2010090545.tif 000004
【図３】
2010090545.tif 000005
【図４】
2010090545.tif 000006
【図５】
2010090545.tif 000007
【図６】
2010090545.tif 000008
【図７】
2010090545.tif 000009
【図８】
2010090545.tif 000010
【図９】
2010090545.tif 000011
【図１０】
2010090545.tif 000012
【図１１】
2010090545.tif 000013
【図１２】
2010090545.tif 000014
【図１３】
2010090545.tif 000015
【図１４】
2010090545.tif 000016
【図１５】
2010090545.tif 000017
【図１６】
2010090545.tif 000018
【図１７】
2010090545.tif 000019
【図１８】
2010090545.tif 000020
【図１９】
2010090545.tif 000021